(57)【要約】【課題】背面投射型表示装置に用いられる３枚構成または２枚構成の透過型スクリーン５において、フレネルスクリーン３０で異物の挟み込みによる気泡を発生させず、生産性に優れた透過型スクリーンを提供する。【解決手段】フレネルスクリーン３０の基板３１にガラスを採用し、この基板３１上に、フレネルレンズ３２やアンチグレア・内部拡散層３３が、貼り合わせではなく、直接ガラスに形成される構造とする。【選択図】図３
2007279398.tif 000002
【特許請求の範囲】
【請求項１】
装置本体の前面に設置される透過型スクリーンと、装置本体の内部に設置され、上記透過型スクリーンに背面側から映像を投射する映像投射装置と、を備えて構成される背面投射型表示装置であって、
上記透過型スクリーンは、水平レンチスクリーンと垂直レンチスクリーンとフレネルスクリーンとによりなる３枚構成、あるいは水平レンチスクリーンまたはフライアイスクリーンとフレネルスクリーンとによりなる２枚構成を有し、
上記フレネルスクリーンでは、基板にガラスが用いられ、この基板上に、レンズ、アンチグレア層、内部拡散層の何れかもしくは複数が、貼り合わせではなく、直接ガラスに形成されることを特徴とする背面投射型表示装置。
【請求項２】
上記フレネルスクリーンにおいて、レンズ、アンチグレア層、内部拡散層は、紫外線硬化型樹脂または熱硬化型樹脂を使用してガラス基板上に形成されることを特徴とする請求項１に記載の背面投射型表示装置。
【請求項３】
上記透過型スクリーンが、水平レンチスクリーンと垂直レンチスクリーンとフレネルスクリーンとによりなる３枚構成であって、水平レンチスクリーンがガラス基板、垂直レンチスクリーンが樹脂基板、フレネルスクリーンがガラス基板を有する場合に、
水平レンチスクリーンとフレネルスクリーンは、その外形がほぼ同じに形成されて装置本体に固定保持され、垂直レンチスクリーンは、水平レンチスクリーンとフレネルスクリーンの外形より小さく形成されて、水平レンチスクリーンとフレネルスクリーンとの間で挟まれるように保持されることを特徴とする請求項１に記載の背面投射型表示装置。
【請求項４】
上記透過型スクリーンが、水平レンチスクリーンと垂直レンチスクリーンとフレネルスクリーンとによりなる３枚構成であって、水平レンチスクリーンが樹脂基板、垂直レンチスクリーンが樹脂基板、フレネルスクリーンがガラス基板を有する場合、あるいは上記透過型スクリーンが、水平レンチスクリーンまたはフライアイスクリーンとフレネルスクリーンとによりなる２枚構成であって、水平レンチスクリーンまたはフライアイスクリーンが樹脂基板、フレネルスクリーンがガラス基板を有する場合に、
フレネルスクリーンは、その他のスクリーンの外形より大きく形成されて装置本体に固定保持され、その他のスクリーンは、一辺を除く各辺がフレネルスクリーンとは別にクリアランスを有する状態で装置本体に保持されることを特徴とする請求項１に記載の背面投射型表示装置。
【請求項５】
上記透過型スクリーンが、水平レンチスクリーンまたはフライアイスクリーンとフレネルスクリーンとによりなる２枚構成であって、水平レンチスクリーンまたはフライアイスクリーンがシート状で、フレネルスクリーンがガラス基板を有する場合に、
フレネルスクリーンは、一辺を除く各辺が水平レンチスクリーンまたはフライアイスクリーンとは別に保持され、水平レンチスクリーンまたはフライアイスクリーンは、フレネルスクリーンの外形より大きく形成されて、張力を加えられる状態で装置本体に保持されることを特徴とする請求項１に記載の背面投射型表示装置。
【請求項６】
上記透過型スクリーンが、水平レンチスクリーンまたはフライアイスクリーンとフレネルスクリーンとによりなる２枚構成であって、水平レンチスクリーンまたはフライアイスクリーンがシート状で、フレネルスクリーンがガラス基板を有する場合に、
フレネルスクリーンに水平レンチスクリーンまたはフライアイスクリーンを、四辺において接着手段によって接着して組み合わせたことを特徴とする請求項１に記載の背面投射型表示装置。
【請求項７】
背面投射型表示装置の前面に設置される透過型スクリーンであって、
水平レンチスクリーンと垂直レンチスクリーンとフレネルスクリーンとによりなる３枚構成、あるいは水平レンチスクリーンまたはフライアイスクリーンとフレネルスクリーンとによりなる２枚構成を有し、
上記フレネルスクリーンでは、基板にガラスが用いられ、この基板上に、レンズ、アンチグレア層、内部拡散層の何れかもしくは複数が、貼り合わせではなく、直接ガラスに形成されることを特徴とする透過型スクリーン。
【請求項８】
上記フレネルスクリーンにおいて、レンズ、アンチグレア層、内部拡散層は、紫外線硬化型樹脂または熱硬化型樹脂を使用してガラス基板上に形成されることを特徴とする請求項７に記載の透過型スクリーン。
【請求項９】
水平レンチスクリーンと垂直レンチスクリーンとフレネルスクリーンとによりなる３枚構成であって、水平レンチスクリーンがガラス基板、垂直レンチスクリーンが樹脂基板、フレネルスクリーンがガラス基板を有する場合に、
水平レンチスクリーンとフレネルスクリーンは、その外形がほぼ同じに形成されて装置本体に固定保持され、垂直レンチスクリーンは、水平レンチスクリーンとフレネルスクリーンの外形より小さく形成されて、水平レンチスクリーンとフレネルスクリーンとの間で挟まれるように保持されることを特徴とする請求項７に記載の透過型スクリーン。
【請求項１０】
水平レンチスクリーンと垂直レンチスクリーンとフレネルスクリーンとによりなる３枚構成であって、水平レンチスクリーンが樹脂基板、垂直レンチスクリーンが樹脂基板、フレネルスクリーンがガラス基板を有する場合、あるいは水平レンチスクリーンまたはフライアイスクリーンとフレネルスクリーンとによりなる２枚構成であって、水平レンチスクリーンまたはフライアイスクリーンが樹脂基板、フレネルスクリーンがガラス基板を有する場合に、
フレネルスクリーンは、その他のスクリーンの外形より大きく形成されて装置本体に固定保持され、その他のスクリーンは、一辺を除く各辺がフレネルスクリーンとは別にクリアランスを有する状態で装置本体に保持されることを特徴とする請求項７に記載の透過型スクリーン。
【請求項１１】
水平レンチスクリーンまたはフライアイスクリーンとフレネルスクリーンとによりなる２枚構成であって、水平レンチスクリーンまたはフライアイスクリーンがシート状で、フレネルスクリーンがガラス基板を有する場合に、
フレネルスクリーンは、一辺を除く各辺が水平レンチスクリーンまたはフライアイスクリーンとは別に保持され、水平レンチスクリーンまたはフライアイスクリーンは、フレネルスクリーンの外形より大きく形成されて、張力を加えられる状態で装置本体に保持されることを特徴とする請求項７に記載の透過型スクリーン。
【請求項１２】
水平レンチスクリーンまたはフライアイスクリーンとフレネルスクリーンとによりなる２枚構成であって、水平レンチスクリーンまたはフライアイスクリーンがシート状で、フレネルスクリーンがガラス基板を有する場合に、
フレネルスクリーンに水平レンチスクリーンまたはフライアイスクリーンを、四辺において接着手段によって接着して組み合わせたことを特徴とする請求項７に記載の透過型スクリーン。
【発明の詳細な説明】
【技術分野】
【０００１】
本発明は、透過型スクリーンに背面側から映像を投射して表示する背面投射型表示装置及びこの背面投射型表示装置に用いられる透過型スクリーンに関する。
【背景技術】
【０００２】
近年、大画面の映像表示装置の一種として、背面投射型表示装置(リアプロジェクションディスプレイ装置)が普及している。この背面投射型表示装置は、周知の通り、ＣＲＴ，ＬＣＤ，ＤＬＰ等の映像光源を備えた映像投射装置から出射された映像光を、ミラーで拡大・反射させて、装置本体の前面に設置される透過型スクリーンに背面側から投射し、その映像を透過型スクリーンの正面側から見るようにしたものである。
【０００３】
この背面投射型表示装置に用いられる透過型スクリーンは、背面側から投射される映像光を平行光化させるフレネルレンズを有するフレネルスクリーンと、映像光を画面全体に均一に配分するように偏向させるレンチキュラーレンズを有するレンチスクリーンと、を並設して構成される。
【０００４】
従来、この種の透過型スクリーンでは、フレネルスクリーンやレンチスクリーンの基板として樹脂やガラスが用いられており、この基板にフレネルレンズやレンチキュラーレンズが形成されたフィルムを貼り合わせてフレネルスクリーンやレンチスクリーンを形成するようにしている(例えば特許文献１参照)。
【特許文献１】特開２００２−３５７８６８号公報（段落００１４）
【発明の開示】
【発明が解決しようとする課題】
【０００５】
上記のように従来の透過型スクリーンは、レンズが形成されたフィルムを基板に貼り合わせる構造であるため、この貼り合わせの際に異物を挟み込むことで気泡が発生し易く、これによって歩留まりが悪化して生産性が低下する問題があった。
【０００６】
本発明は斯かる点に鑑みてなされたもので、異物の挟み込みによる気泡が発生することなく、生産性に優れた透過型スクリーンを提供することを目的とする。
【課題を解決するための手段】
【０００７】
上記の目的を達成するため本発明は、
装置本体の前面に設置される透過型スクリーンと、装置本体の内部に設置され、透過型スクリーンに背面側から映像を投射する映像投射装置と、を備えて構成される背面投射型表示装置において、
透過型スクリーンは、水平レンチスクリーンと垂直レンチスクリーンとフレネルスクリーンとによりなる３枚構成、あるいは水平レンチスクリーンまたはフライアイスクリーンとフレネルスクリーンとによりなる２枚構成を有し、
この構成においてフレネルスクリーンでは、基板にガラスが用いられ、この基板上に、レンズ、アンチグレア層、内部拡散層の何れかもしくは複数が、貼り合わせではなく、直接ガラスに形成されることを特徴とするものである。
【０００８】
この場合、フレネルスクリーンにおいて、レンズ、アンチグレア層、内部拡散層は、紫外線硬化型樹脂または熱硬化型樹脂を使用してガラス基板上に形成されるものとする。
【０００９】
この構成において、透過型スクリーンが、水平レンチスクリーンと垂直レンチスクリーンとフレネルスクリーンとによりなる３枚構成であって、水平レンチスクリーンがガラス基板、垂直レンチスクリーンが樹脂基板、フレネルスクリーンがガラス基板を有する場合には、
水平レンチスクリーンとフレネルスクリーンは、その外形がほぼ同じに形成されて装置本体に固定保持され、垂直レンチスクリーンは、水平レンチスクリーンとフレネルスクリーンの外形より小さく形成されて、水平レンチスクリーンとフレネルスクリーンとの間で挟まれるように保持される構造とする。
【００１０】
また、透過型スクリーンが、水平レンチスクリーンと垂直レンチスクリーンとフレネルスクリーンとによりなる３枚構成であって、水平レンチスクリーンが樹脂基板、垂直レンチスクリーンが樹脂基板、フレネルスクリーンがガラス基板を有する場合、あるいは上記透過型スクリーンが、水平レンチスクリーンまたはフライアイスクリーンとフレネルスクリーンとによりなる２枚構成であって、水平レンチスクリーンまたはフライアイスクリーンが樹脂基板、フレネルスクリーンがガラス基板を有する場合には、
フレネルスクリーンは、その他のスクリーンの外形より大きく形成されて装置本体に固定保持され、その他のスクリーンは、一辺を除く各辺がフレネルスクリーンとは別にクリアランスを有する状態で装置本体に保持される構造とする。
【００１１】
また、透過型スクリーンが、水平レンチスクリーンまたはフライアイスクリーンとフレネルスクリーンとによりなる２枚構成であって、水平レンチスクリーンまたはフライアイスクリーンがシート状で、フレネルスクリーンがガラス基板を有する場合には、
フレネルスクリーンは、一辺を除く各辺が水平レンチスクリーンまたはフライアイスクリーンとは別に保持され、水平レンチスクリーンまたはフライアイスクリーンは、フレネルスクリーンの外形より大きく形成されて、張力を加えられる状態で装置本体に保持される構造とする。
【００１２】
さらに、透過型スクリーンが、水平レンチスクリーンまたはフライアイスクリーンとフレネルスクリーンとによりなる２枚構成であって、水平レンチスクリーンまたはフライアイスクリーンがシート状で、フレネルスクリーンがガラス基板を有する場合には、
フレネルスクリーンに水平レンチスクリーンまたはフライアイスクリーンを、四辺において接着手段によって接着して組み合わせる構造としてもよい。
【発明の効果】
【００１３】
本発明による透過型スクリーンでは、フレネルスクリーンの基板にガラスを用い、この基板上に、レンズ、アンチグレア層、内部拡散層の何れかもしくは複数を直接ガラスに形成する構造としたことにより、従来のような異物の挟み込みによる気泡が発生することはないので、高い歩留まりが得られて生産性が向上し、また従来の貼り合わせ用のフィルムが不要となるので、コストが低減されて、低価格のスクリーンを提供することができる。
【００１４】
またこの透過型スクリーンでは、フレネルスクリーンの基板にガラスを採用したことにより、スクリーンの平坦性が安定して維持されるので、画歪の少ない映像を得ることができる。
【００１５】
さらにこの透過型スクリーンでは、ガラス基板上にレンズ、アンチグレア層、内部拡散層の何れかの機能を持つ樹脂層が形成されることにより、比熱緩和による結露の防止効果を得ることができる。
【発明を実施するための最良の形態】
【００１６】
以下、図面を参照しながら本発明の好適な実施例について詳細に説明する。
図１は、本発明が適用される背面投射型表示装置(リアプロジェクションディスプレイ装置)の外観を示す斜視図、図２はその内部構成を示す側面図である。
【００１７】
図１に示すように、この背面投射型表示装置１は、装置本体２の前面に透過型スクリーン５を有し、この透過型スクリーン５にその背面側から映像を投射して表示するものである。即ち、図２に示す如く、装置本体２の内部には、ＣＲＴ，ＬＣＤ，ＤＬＰ等の映像光源を備えた映像投射装置３が設置されており、この映像投射装置３から出射された映像光Ｌを反射ミラー４で反射して透過型スクリーン５に投射する構造としている。
【００１８】
ここで透過型スクリーンは、３枚のスクリーンで構成される場合と、２枚のスクリーンで構成される場合とがある。以下にその構成例を示す。
【００１９】
図３は、３枚構成の透過型スクリーンの実施例を示す断面構造図である。
即ちこの透過型スクリーン５では、観測者側(図の左側)から見て、水平レンチスクリーン１０と、垂直レンチスクリーン２０と、フレネルスクリーン３０とが順に配置されており、図の右側から入射した映像光は、フレネルスクリーン３０でスクリーン面に対し垂直な方向に平行光化され、さらに垂直レンチスクリーン２０で垂直方向に偏向されると共に水平レンチスクリーン１０で水平方向に偏向されて視野角が拡大される。
【００２０】
この構成において、水平レンチスクリーン１０は、基板１１としてガラスが用いられ、このガラス基板１１における観測者側の面にアンチグレア、ハードコート層１３が形成されると共に、これと反対側(映像光の入射側)の面に内部拡散層１４が形成されている。
【００２１】
これらのアンチグレア、ハードコート層１３及び内部拡散層１４は、紫外線硬化型樹脂または熱硬化型樹脂を材料に使い、この材料をスクリーン印刷やロール印刷によってガラス基板１１に塗布するか、あるいは材料を一旦フィルムに塗布した後にガラス基板１１に転写し、それから紫外線照射または加熱を行い、樹脂を硬化させることによって形成される。
【００２２】
これらのアンチグレア、ハードコート層１３及び内部拡散層１４の主材料は、スチレン、アクリル、ポリカーボネート、エポキシ、アクリレート系モノマー、アクリレートリン系モノマー、オリゴマー、またはそれぞれの共重合の有機材料やセラミック、シリカなどの無機材料から形成され、エンボス転写式か無機のビーズフィラーを混入することによりアンチグレア及び内部拡散特性を持たせている。
【００２３】
そしてこの水平レンチスクリーン１０では、上記ガラス基板１１の内部拡散層１４の上に水平レンチキュラーレンズシート１５を貼り合わせている。この水平レンチキュラーレンズシート１５は、合成樹脂によりなるシート基材１６の上に光を水平方向に偏向させる水平レンチキュラーレンズ１７を形成して構成される。ここで水平レンチキュラーレンズ１７の材料としては、紫外線硬化型樹脂や熱硬化型樹脂が用いられる。またこの水平レンチキュラーレンズシート１５には、ブラックストライプ層１８が設けられている。
【００２４】
垂直レンチスクリーン２０は、合成樹脂によりなる基板２１の上に垂直レンチキュラーレンズシート２２を貼り合わせている。この垂直レンチキュラーレンズシート２２は、合成樹脂によりなるシート基材２３の上に光を垂直方向に偏向させる垂直レンチキュラーレンズ２４を形成して構成される。ここで垂直レンチキュラーレンズ２４の材料としては、紫外線硬化型樹脂や熱硬化型樹脂が用いられる。またこの垂直レンチキュラーレンズシート２２には、ブラックストライプ層２５が設けられている。さらにこの垂直レンチスクリーンでは、基板２１に内部拡散機能を有している。
【００２５】
フレネルスクリーン３０は、基板３１としてガラスが用いられ、このガラス基板３１の片側の面にフレネルレンズ３２が形成されると共に、これと反対側の面にアンチグレアまたはアンチグレア・内部拡散(アンチグレアと内部拡散の複合)層３３が形成されている。本実施例でのフレネルスクリーン３０は屈折型であり、即ちこの屈折型のフレネルスクリーン３０では、ガラス基板３１における観測者側の面にフレネルレンズ３２が形成されている。
【００２６】
このフレネルスクリーン３０では、フレネルレンズ３２が直接ガラス基板３１に形成されることを特徴としている。ここでフレネルレンズ３２は、紫外線硬化型樹脂または熱硬化型樹脂を材料に使い、この材料を所定のレンズ形状に成型し、これを形状転写方式によってガラス基板３１上に転写した後に紫外線照射または加熱を行い、樹脂を硬化させることによって形成される。
【００２７】
このフレネルレンズ３２の主材料は、スチレン、アクリル、ポリカーボネート、エポキシ、アクリレート系モノマー、アクリレートリン系モノマー、オリゴマーまたはそれぞれの共重合の有機材料やセラミック、シリカなどの無機材料から形成されている。
【００２８】
また、アンチグレアまたはアンチグレア・内部拡散層３３は、紫外線硬化型樹脂または熱硬化型樹脂を材料に使い、この材料をスクリーン印刷やロール印刷によってガラス基板３１に塗布するか、あるいは材料を一旦フィルムに塗布した後にガラス基板３１に転写し、それから紫外線照射または加熱を行い、樹脂を硬化させることによって形成される。
【００２９】
このアンチグレアまたはアンチグレア・内部拡散層３３の主材料は、スチレン、アクリル、ポリカーボネート、エポキシ、アクリレート系モノマー、アクリレートリン系モノマー、オリゴマーまたはそれぞれの共重合の有機材料やセラミック、シリカなどの無機材料から形成され、エンボス転写式か無機材料のビーズフィラーを混入することによりアンチグレアまたは内部拡散特性もしくはその両方の特性を持たせている。
【００３０】
さらにこのフレネルスクリーン３０では、フレネルレンズ３２及びアンチグレアまたはアンチグレア・内部拡散層３３のガラス基板３１への密着性を向上させるために、薬品処理、カップリング処理、プライマー処理などの化学的方法またはプラズマ接触処理(グロー放電、コロナ放電)などの物理的方法の前処理を行うか、塗布・転写後に加熱の後処理を行うようにしている。
【００３１】
以上に説明した如く本実施例の透過型スクリーンでは、フレネルスクリーンの基板にガラスを用い、この基板上に、レンズ、アンチグレア層、内部拡散層の何れかもしくは複数を、貼り合わせではなく、直接ガラスに形成する構造としたことにより、従来のような異物の挟み込みによる気泡が発生することはないので、高い歩留まりが得られて生産性が向上し、また従来の貼り合わせ用のフィルムが不要となるので、コストが低減されて、低価格のスクリーンを提供することができる。
【００３２】
またこの透過型スクリーンでは、フレネルスクリーンの基板にガラスを採用したことにより、スクリーンの平坦性が安定して維持されるので、画歪の少ない映像を得ることができる。
【００３３】
さらにこの透過型スクリーンでは、ガラス基板上にレンズ、アンチグレア層、内部拡散層の何れかの機能を持つ樹脂層が形成されることにより、比熱緩和による結露の防止効果を得ることができる。
【００３４】
図４は、３枚構成の透過型スクリーンの他の実施例を示す断面構造図である。
この図４の実施例は前述した図３の実施例の変形例であって、ここでこの図４の実施例が図３の実施例と異なるのは、フレネルスクリーン３０を反射型とした点である。即ち、フレネルスクリーンには屈折型と反射型の２種類があるが、図３の実施例で示した屈折型のフレネルスクリーン３０の場合は観測者側の面にフレネルレンズ３２を有するのに対し、図４の実施例で示す反射型のフレネルスクリーン３０では、観測者側と反対側の面(光の入射側の面)にフレネルレンズ３２が形成される。
【００３５】
この実施例では、ガラス基板３１における観測者側の面にアンチグレアまたはアンチグレア・内部拡散層３３を有すると共に、その反対側の面に内部拡散層３４を有し、この内部拡散層３４の上に紫外線硬化型樹脂または熱硬化型樹脂を使用してフレネルレンズ３２を形成してある。
【００３６】
図５は、図３及び図４の実施例で示した３枚構成の透過型スクリーンの装置本体への組み付け構造を示す。即ち、図３及び図４で示した透過型スクリーンのように、水平レンチスクリーン１０の基板がガラス、垂直レンチスクリーン２０の基板が樹脂、フレネルスクリーン３０の基板がガラスである場合には、図５に示す如く、水平レンチスクリーン１０とフレネルスクリーン３０は、その外形がほぼ同じ寸法で一致するように形成されて、装置本体側のフレーム４０に固定状態で保持され、垂直レンチスクリーン２０は、水平レンチスクリーン１０とフレネルスクリーン３０の外形より小さく形成されて、水平レンチスクリーン１０とフレネルスクリーン３０との間で挟まれるように保持される構造とする。
【００３７】
図３及び図４の構成の透過型スクリーンにおいて、水平レンチスクリーン１０及びフレネルスクリーン３０のガラス基板は温度や湿度の環境変化の影響を受けにくいが、垂直レンチスクリーン２０の樹脂基板は温度や湿度の環境変化を受けて伸び縮みが発生し易い。そこで図５のような透過型スクリーンの組み付け構造を採用することにより、垂直レンチスクリーンに２０伸び縮みが発生しても、これを無理に妨げることはないので、垂直レンチスクリーン２０に皺や反りが生じることはない。
【００３８】
また、この透過型スクリーンの組み付け構造では、水平レンチスクリーン１０及びフレネルスクリーン３０を直接保持するのではなく、例えば発泡ウレタン、ポリエチレン、ゴム、アクリル、ポリオレフィンシートなどのクッション材４１を介してフレーム４０に保持することにより、ガラス基板とフレームの干渉によるガラスの割れを防止することができる。
【００３９】
図６及び図７は、３枚構成の透過型スクリーンのさらに他の実施例を示す断面構造図である。この図６及び図７の実施例はそれぞれ、前述した図３及び図４の実施例の変形例であり、ここでこの図６及び図７の実施例が図３及び図４の実施例と異なるのは、水平レンチスクリーン１０の基板を樹脂基板１２とした点である。即ち、この図６及び図７の実施例において水平レンチスクリーン１０は、基板１２の材料として樹脂が用いられ、この樹脂基板１２における観測者側の面にアンチグレア、ハードコート層１３を形成すると共に、これと反対側(映像光の入射側)の面に水平レンチキュラーレンズシート１５を貼り合わせて構成されるものである。
【００４０】
図８は、図６及び図７の実施例で示した３枚構成の透過型スクリーンの装置本体への組み付け構造を示す。即ち、図６及び図７で示した透過型スクリーンのように、水平レンチスクリーン１０の基板が樹脂、垂直レンチスクリーン２０の基板が樹脂、フレネルスクリーン３０の基板がガラスである場合には、図８に示す如く、フレネルスクリーン３０は、水平レンチスクリーン１０と垂直レンチスクリーン２０の外形より大きく形成されて、装置本体側のフレーム４０に固定状態で保持され、水平レンチスクリーン１０と垂直レンチスクリーン２０は、一辺(下辺)を除く各辺がフレネルスクリーン３０とは別にクリアランスを有する状態でフレーム４０に保持される構造とする。
【００４１】
図６及び図７の構成の透過型スクリーンにおいて、水平レンチスクリーン１０及び垂直レンチスクリーン２０の樹脂基板は温度や湿度の環境変化を受けて伸び縮みが発生し易い。そこで図８のような透過型スクリーンの組み付け構造を採用することにより、水平レンチスクリーン１０及び垂直レンチスクリーン２０に伸び縮みが発生しても、これを無理に妨げることはないので、水平レンチスクリーン２０及び垂直レンチスクリーン３０に皺や反りが生じることはない。
【００４２】
また、この透過型スクリーンの組み付け構造では、フレネルスクリーン３０を例えば発泡ウレタン、ポリエチレン、ゴム、アクリル、ポリオレフィンシートなどのクッション材４１を介してフレームに保持することにより、ガラス基板とフレームの干渉によるガラスの割れを防止することができる。
【００４３】
図９は、２枚構成の透過型スクリーンの実施例を示す断面構造図である。
この２枚構成の透過型スクリーンは、前述した３枚構成の透過型スクリーンにおいて中間に設けられていた垂直レンチスクリーン２０をなくした構成であって、即ちこの透過型スクリーンでは、水平レンチスクリーン１０とフレネルスクリーン３０の２枚が配置されており、図の右側から入射した映像光は、フレネルスクリーン３０でスクリーン面に対し垂直な方向に平行光化され、さらに水平レンチスクリーン１０で水平方向に偏向されて視野角が拡大される。
【００４４】
この図９の実施例では、水平レンチスクリーン１０は基板１１にガラスが用いられ、またフレネルスクリーン３０は屈折型となっている。図１０は図９の実施例の変形例であり、即ち図９の実施例ではフレネルスクリーン３０が屈折型であるのに対し、図１０の実施例ではフレネルスクリーン３０が反射型となっている。
【００４５】
なお、これら図９及び図１０に示す２枚構成の透過型スクリーンでは、水平レンチスクリーン１０に代えて、水平レンチキュラーレンズと垂直レンチキュラーレンズの両機能を併せ持つフライアイレンズシートを基板に貼り合わせてなるフライアイスクリーンを配置した構成としてもよい。
【００４６】
図１１は、２枚構成の透過型スクリーンのさらに他の実施例を示す断面構造図である。
この図１１の実施例は、水平レンチスクリーン１０の水平レンチキュラーレンズ１７に対応する垂直レンチキュラーレンズ２７をフレネルスクリーン３０に形成したものである。即ちこの構成では、反射型のフレネルスクリーン３０におけるガラス基板３１の観測者側の面に、紫外線硬化型樹脂または熱硬化型樹脂を材料とする垂直レンチキュラーレンズ２７が形状転写方式によって形成されている。
【００４７】
この垂直レンチキュラーレンズ２７の主材料は、フレネルレンズと同様に、スチレン、アクリル、ポリカーボネート、エポキシ、アクリレート系モノマー、アクリレートリン系モノマー、オリゴマーまたはそれぞれの共重合の有機材料やセラミック、シリカなどの無機材料から形成されている。
【００４８】
さらにこの垂直レンチキュラーレンズ２７を形成する層には、スチレン、アクリル、ポリカーボネート、エポキシ、アクリレート系モノマー、アクリレートリン系モノマー、オリゴマー、またはそれぞれの共重合の有機材料やセラミック、シリカなどの無機材料から形成されるビーズフィラーを混入することにより、内部拡散特性を持たせるようにしてもよい。
【００４９】
図１２は、図９、図１０及び図１１の実施例で示した２枚構成の透過型スクリーンの装置本体への組み付け構造を示す。即ち、図９、図１０及び図１１で示した透過型スクリーンのように、水平レンチスクリーン１０の基板とフレネルスクリーン３０の基板が何れもガラスである場合には、温度や湿度の環境変化による影響を受けにくいので、図１２に示す如く、水平レンチスクリーン１０とフレネルスクリーン３０は、その外形がほぼ同じ寸法で一致するように形成されて、装置本体側のフレーム４０に固定状態で保持される構造とする。
【００５０】
またこの構造では、水平レンチスクリーン１０とフレネルスクリーン３０を例えば発泡ウレタン、ポリエチレン、ゴム、アクリル、ポリオレフィンシートなどのクッション材４１を介してフレームに保持することにより、ガラス基板とフレームの干渉によるガラスの割れを防止することができる。
【００５１】
図１３、図１４及び図１５は、２枚構成の透過型スクリーンのさらに他の実施例を示す断面構造図である。この図１３、図１４及び図１５の実施例はそれぞれ、前述した図９、図１０及び図１１の実施例の変形例であり、ここでこの図１３、図１４及び図１５の実施例が図９、図１０及び図１１の実施例と異なるのは、水平レンチスクリーン１０の基板を樹脂基板１２とした点である。
【００５２】
図１６は、図１３、図１４及び図１５の実施例で示した２枚構成の透過型スクリーンの装置本体への組み付け構造を示す。即ち、図１３、図１４及び図１５で示した透過型スクリーンのように、水平レンチスクリーン１０の基板が樹脂、フレネルスクリーン３０の基板がガラスである場合には、図１６に示す如く、フレネルスクリーン３０は、水平レンチスクリーン１０の外形より大きく形成されて、装置本体側のフレーム４０に固定状態で保持され、水平レンチスクリーン１０は、一辺(下辺)を除く各辺がフレネルスクリーン３０とは別にクリアランスを有する状態でフレーム４０に保持される構造とする。
【００５３】
このような構造を採用することにより、水平レンチスクリーン１０で環境変化による樹脂の伸び縮みが発生しても、これを無理に妨げることはないので、水平レンチスクリーン１０に皺や反りが生じることはない。
【００５４】
またこの構造では、フレネルスクリーン３０を例えば発泡ウレタン、ポリエチレン、ゴム、アクリル、ポリオレフィンシートなどのクッション材４１を介してフレーム４０に保持することにより、ガラス基板とフレームの干渉によるガラスの割れを防止することができる。
【００５５】
図１７、図１８及び図１９はそれぞれ、図１３、図１４及び図１５の実施例のさらなる変形例である。即ち、この図１７、図１８及び図１９の実施例は、水平レンチスクリーン１０をシート状に形成したものである。この場合、０．０５ｍｍから１．５ｍｍまでの厚みをシートと定義し、その厚みの範囲内で水平レンチスクリーン１０を形成してある。この実施例では、水平レンチキュラーレンズシート１５に拡散機能を有するフィルム１９を貼り合わせ、その上にアンチグレア、ハードコート層１３を形成するようにしている。
【００５６】
この図１７、図１８及び図１９の実施例のように、水平レンチスクリーン１０がシート状で、フレネルスクリーン３０がガラス基板を有する場合には、フレネルスクリーン３０は、一辺を除く各辺が水平レンチスクリーン１０とは別に保持され、水平レンチスクリーン１０は、フレネルスクリーン３０の外形より大きく形成されて、張力を加えられる状態で装置本体側のフレームに保持される構造とする。
【００５７】
その構造例を図２０に示す。この構成においてシート状の水平レンチスクリーン１０は、その上辺部及び下辺部に、厚みを大きくしたリブ(肉厚部)４３及び４４を有し、このリブ４３及び４４を抱持するように上部ブラケット４５及び下部ブラケット４６が取り付けられている。
【００５８】
そしてこの構成では、上部ブラケット４５をビス４７等によって装置本体側のフレームに固定することで、シート状の水平レンチスクリーン１０は、重力で下方に引っ張られる状態で設置される。即ちこの場合、水平レンチスクリーン１０には下部ブラケット４６の重みが荷重として加わり、これによって水平レンチスクリーン１０は下方に張力を加えられる状態となる。
【００５９】
またこの構成において、フレネルスクリーン３０は、水平レンチスクリーン１０とは別に上部ブラケット４５と下部ブラケット４６との間で保持されて、その重みが下部ブラケット４６と共に水平レンチスクリーン１０に張力として加わる構造となっている。これによって水平レンチスクリーン１０は、変形や歪みが生じることなく安定した平坦性が維持される。
【００６０】
なお、水平レンチスクリーンに張力を加える方式としては、上記構成の他にも、例えば水平レンチスクリーンの四辺をワイヤ等で引っ張る構成や、水平レンチスクリーンに押圧部材を押し当てて張力を加える構成等を採用することができる。
【００６１】
図２１、図２２及び図２３はそれぞれ、図１７、図１８及び図１９の実施例のさらなる変形例である。即ちこの実施例は、シート状の水平レンチスクリーン１０とフレネルスクリーン３０とを接着手段５０によって接着して一体化するようにしたものである。この場合、図２４に示す如く、フレネルスクリーン３０にシート状の水平レンチスクリーン１０を、四辺の全てにおいて接着手段５０によって接着して組み合わせるようにする。ここで接着手段５０としては例えば紫外線硬化型樹脂が用いられ、この紫外線硬化型樹脂を水平レンチスクリーン１０とフレネルスクリーン３０の何れか一方側の周辺部に全周にわたって塗布し、その後に両者を組み合わせた状態で、紫外線を照射して紫外線硬化型樹脂を硬化させることによって接着を行うようにする。
【００６２】
このようにフレネルスクリーン３０にシート状の水平レンチスクリーン１０を四辺の全てにおいて接着手段によって接着して組み合わせてなる透過型スクリーンでは、その内部の密閉性が確実に保持されるため、温度・湿度の環境変化に伴う寸法の変化が抑えられ、その結果スクリーンの平坦性が確実に維持されて、安定した映像が得られるものである。
【００６３】
以上、本発明の実施例について説明したが、本発明はこれらの実施例の構成に限ることなく、その他にも種々の実施形態を採り得るものであることは言うまでもない。
【図面の簡単な説明】
【００６４】
【図１】本発明が適用される背面投射型表示装置の外観を示す斜視図である。
【図２】同、内部構成を示す側面図である
【図３】３枚構成の透過型スクリーン実施例を示す断面構造図である。
【図４】３枚構成の透過型スクリーンの他の実施例を示す断面構造図である。
【図５】図３及び図４に示す透過型スクリーンの組み付け構造図である。
【図６】３枚構成の透過型スクリーンのさらに他の実施例を示す断面構造図である。
【図７】３枚構成の透過型スクリーンのさらに他の実施例を示す断面構造図である。
【図８】図６及び図７に示す透過型スクリーンの組み付け構造図である。
【図９】２枚構成の透過型スクリーン実施例を示す断面構造図である。
【図１０】２枚構成の透過型スクリーンの他の実施例を示す断面構造図である。
【図１１】２枚構成の透過型スクリーンのさらに他の実施例を示す断面構造図である。
【図１２】図９、図１０及び図１１に示す透過型スクリーンの組み付け構造図である。
【図１３】２枚構成の透過型スクリーンのさらに他の実施例を示す断面構造図である。
【図１４】２枚構成の透過型スクリーンのさらに他の実施例を示す断面構造図である。
【図１５】２枚構成の透過型スクリーンのさらに他の実施例を示す断面構造図である。
【図１６】図１３、図１４及び図１５に示す透過型スクリーンの組み付け構造図である。
【図１７】２枚構成の透過型スクリーンのさらに他の実施例を示す断面構造図である。
【図１８】２枚構成の透過型スクリーンのさらに他の実施例を示す断面構造図である。
【図１９】２枚構成の透過型スクリーンのさらに他の実施例を示す断面構造図である。
【図２０】図１７、図１８及び図１９に示す透過型スクリーンの組み付け構造図である。
【図２１】２枚構成の透過型スクリーンのさらに他の実施例を示す断面構造図である。
【図２２】２枚構成の透過型スクリーンのさらに他の実施例を示す断面構造図である。
【図２３】２枚構成の透過型スクリーンのさらに他の実施例を示す断面構造図である。
【図２４】図２１、図２２及び図２３に示す透過型スクリーンの組み合わせ構造図である。
【符号の説明】
【００６５】
１…背面投射型表示装置、２…装置本体、３…映像投射装置、５…透過型スクリーン、
１０…水平レンチスクリーン、１１…基板(ガラス)、１２…基板(樹脂)、１３…アンチグレア、ハードコート層、１４…内部拡散層、１５…水平レンチキュラーレンズシート、１６…シート基材、１７…水平レンチキュラーレンズ、２０…垂直レンチスクリーン、２１…基板(樹脂)、２２…水平レンチキュラーレンズシート、２３…シート基材、２４…水平レンチキュラーレンズ、３０…フレネルスクリーン、３１…基板(ガラス)、３２…フレネルレンズ、３３…アンチグレアまたはアンチグレア・内部拡散層
【図１】
2007279398.tif 000003
【図２】
2007279398.tif 000004
【図３】
2007279398.tif 000005
【図４】
2007279398.tif 000006
【図５】
2007279398.tif 000007
【図６】
2007279398.tif 000008
【図７】
2007279398.tif 000009
【図８】
2007279398.tif 000010
【図９】
2007279398.tif 000011
【図１０】
2007279398.tif 000012
【図１１】
2007279398.tif 000013
【図１２】
2007279398.tif 000014
【図１３】
2007279398.tif 000015
【図１４】
2007279398.tif 000016
【図１５】
2007279398.tif 000017
【図１６】
2007279398.tif 000018
【図１７】
2007279398.tif 000019
【図１８】
2007279398.tif 000020
【図１９】
2007279398.tif 000021
【図２０】
2007279398.tif 000022
【図２１】
2007279398.tif 000023
【図２２】
2007279398.tif 000024
【図２３】
2007279398.tif 000025
【図２４】
2007279398.tif 000026
【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
装置本体の前面に設置される透過型スクリーンと、装置本体の内部に設置され、上記透過型スクリーンに背面側から映像を投射する映像投射装置と、を備えて構成される背面投射型表示装置であって、
上記透過型スクリーンは、水平レンチスクリーンと垂直レンチスクリーンとフレネルスクリーンとによりなる３枚構成、あるいは水平レンチスクリーンまたはフライアイスクリーンとフレネルスクリーンとによりなる２枚構成を有し、
上記フレネルスクリーンでは、基板にガラスが用いられ、この基板上に、レンズ、アンチグレア層、内部拡散層の何れかもしくは複数が、貼り合わせではなく、直接ガラスに形成されることを特徴とする背面投射型表示装置。
【請求項２】
上記フレネルスクリーンにおいて、レンズ、アンチグレア層、内部拡散層は、紫外線硬化型樹脂または熱硬化型樹脂を使用してガラス基板上に形成されることを特徴とする請求項１に記載の背面投射型表示装置。
【請求項３】
上記透過型スクリーンが、水平レンチスクリーンと垂直レンチスクリーンとフレネルスクリーンとによりなる３枚構成であって、水平レンチスクリーンがガラス基板、垂直レンチスクリーンが樹脂基板、フレネルスクリーンがガラス基板を有する場合に、
水平レンチスクリーンとフレネルスクリーンは、その外形がほぼ同じに形成されて装置本体に固定保持され、垂直レンチスクリーンは、水平レンチスクリーンとフレネルスクリーンの外形より小さく形成されて、水平レンチスクリーンとフレネルスクリーンとの間で挟まれるように保持されることを特徴とする請求項１に記載の背面投射型表示装置。
【請求項４】
上記透過型スクリーンが、水平レンチスクリーンと垂直レンチスクリーンとフレネルスクリーンとによりなる３枚構成であって、水平レンチスクリーンが樹脂基板、垂直レンチスクリーンが樹脂基板、フレネルスクリーンがガラス基板を有する場合、あるいは上記透過型スクリーンが、水平レンチスクリーンまたはフライアイスクリーンとフレネルスクリーンとによりなる２枚構成であって、水平レンチスクリーンまたはフライアイスクリーンが樹脂基板、フレネルスクリーンがガラス基板を有する場合に、
フレネルスクリーンは、その他のスクリーンの外形より大きく形成されて装置本体に固定保持され、その他のスクリーンは、一辺を除く各辺がフレネルスクリーンとは別にクリアランスを有する状態で装置本体に保持されることを特徴とする請求項１に記載の背面投射型表示装置。
【請求項５】
上記透過型スクリーンが、水平レンチスクリーンとフレネルスクリーンとによりなる２枚構成であって、水平レンチスクリーンがガラス基板、フレネルスクリーンがガラス基板を有する場合に、
水平レンチスクリーンとフレネルスクリーンは、その外形がほぼ同じに形成されて装置本体に固定保持されることを特徴とする請求項１に記載の背面投射型表示装置。
【請求項６】
上記透過型スクリーンが、水平レンチスクリーンまたはフライアイスクリーンとフレネルスクリーンとによりなる２枚構成であって、水平レンチスクリーンまたはフライアイスクリーンがシート状で、フレネルスクリーンがガラス基板を有する場合に、
フレネルスクリーンは、一辺を除く各辺が水平レンチスクリーンまたはフライアイスクリーンとは別に保持され、水平レンチスクリーンまたはフライアイスクリーンは、フレネルスクリーンの外形より大きく形成されて、張力を加えられる状態で装置本体に保持されることを特徴とする請求項１に記載の背面投射型表示装置。
【請求項７】
上記透過型スクリーンが、水平レンチスクリーンまたはフライアイスクリーンとフレネルスクリーンとによりなる２枚構成であって、水平レンチスクリーンまたはフライアイスクリーンがシート状で、フレネルスクリーンがガラス基板を有する場合に、
フレネルスクリーンに水平レンチスクリーンまたはフライアイスクリーンを、四辺において接着手段によって接着して組み合わせたことを特徴とする請求項１に記載の背面投射型表示装置。
【請求項８】
背面投射型表示装置の前面に設置される透過型スクリーンであって、
水平レンチスクリーンと垂直レンチスクリーンとフレネルスクリーンとによりなる３枚構成、あるいは水平レンチスクリーンまたはフライアイスクリーンとフレネルスクリーンとによりなる２枚構成を有し、
上記フレネルスクリーンでは、基板にガラスが用いられ、この基板上に、レンズ、アンチグレア層、内部拡散層の何れかもしくは複数が、貼り合わせではなく、直接ガラスに形成されることを特徴とする透過型スクリーン。
【請求項９】
上記フレネルスクリーンにおいて、レンズ、アンチグレア層、内部拡散層は、紫外線硬化型樹脂または熱硬化型樹脂を使用してガラス基板上に形成されることを特徴とする請求項８に記載の透過型スクリーン。
【請求項１０】
水平レンチスクリーンと垂直レンチスクリーンとフレネルスクリーンとによりなる３枚構成であって、水平レンチスクリーンがガラス基板、垂直レンチスクリーンが樹脂基板、フレネルスクリーンがガラス基板を有する場合に、
水平レンチスクリーンとフレネルスクリーンは、その外形がほぼ同じに形成されて装置本体に固定保持され、垂直レンチスクリーンは、水平レンチスクリーンとフレネルスクリーンの外形より小さく形成されて、水平レンチスクリーンとフレネルスクリーンとの間で挟まれるように保持されることを特徴とする請求項８に記載の透過型スクリーン。
【請求項１１】
水平レンチスクリーンと垂直レンチスクリーンとフレネルスクリーンとによりなる３枚構成であって、水平レンチスクリーンが樹脂基板、垂直レンチスクリーンが樹脂基板、フレネルスクリーンがガラス基板を有する場合、あるいは水平レンチスクリーンまたはフライアイスクリーンとフレネルスクリーンとによりなる２枚構成であって、水平レンチスクリーンまたはフライアイスクリーンが樹脂基板、フレネルスクリーンがガラス基板を有する場合に、
フレネルスクリーンは、その他のスクリーンの外形より大きく形成されて装置本体に固定保持され、その他のスクリーンは、一辺を除く各辺がフレネルスクリーンとは別にクリアランスを有する状態で装置本体に保持されることを特徴とする請求項８に記載の透過型スクリーン。
【請求項１２】
水平レンチスクリーンと垂直レンチスクリーンとフレネルスクリーンとによりなる２枚構成であって、水平レンチスクリーンがガラス基板、フレネルスクリーンがガラス基板を有する場合に、
水平レンチスクリーンとフレネルスクリーンは、その外形がほぼ同じに形成されて装置本体に固定保持されることを特徴とする請求項８に記載の透過型スクリーン。
【請求項１３】
水平レンチスクリーンまたはフライアイスクリーンとフレネルスクリーンとによりなる２枚構成であって、水平レンチスクリーンまたはフライアイスクリーンがシート状で、フレネルスクリーンがガラス基板を有する場合に、
フレネルスクリーンは、一辺を除く各辺が水平レンチスクリーンまたはフライアイスクリーンとは別に保持され、水平レンチスクリーンまたはフライアイスクリーンは、フレネルスクリーンの外形より大きく形成されて、張力を加えられる状態で装置本体に保持されることを特徴とする請求項８に記載の透過型スクリーン。
【請求項１４】
水平レンチスクリーンまたはフライアイスクリーンとフレネルスクリーンとによりなる２枚構成であって、水平レンチスクリーンまたはフライアイスクリーンがシート状で、フレネルスクリーンがガラス基板を有する場合に、
フレネルスクリーンに水平レンチスクリーンまたはフライアイスクリーンを、四辺において接着手段によって接着して組み合わせたことを特徴とする請求項８に記載の透過型スクリーン。
【手続補正２】
【補正対象書類名】明細書
【補正対象項目名】００１９
【補正方法】変更
【補正の内容】
【００１９】
図３は、３枚構成の透過型スクリーンの実施例を示す水平方向の断面構造図である。
即ちこの透過型スクリーン５では、観測者側(図の左側)から見て、水平レンチスクリーン１０と、垂直レンチスクリーン２０と、フレネルスクリーン３０とが順に配置されており、図の右側から入射した映像光は、フレネルスクリーン３０でスクリーン面に対し垂直な方向に平行光化され、さらに垂直レンチスクリーン２０で垂直方向に偏向されると共に水平レンチスクリーン１０で水平方向に偏向されて視野角が拡大される。
【手続補正３】
【補正対象書類名】明細書
【補正対象項目名】００２６
【補正方法】変更
【補正の内容】
【００２６】
このフレネルスクリーン３０では、フレネルレンズ３２が直接ガラス基板３１に形成されることを特徴としている。ここでフレネルレンズ３２は、紫外線硬化型樹脂または熱硬化型樹脂を材料に使い、これを形状転写方式によってガラス基板３１上にレンズ形状に成型した後に紫外線照射または加熱を行い、樹脂を硬化させることによって形成される。
【手続補正４】
【補正対象書類名】明細書
【補正対象項目名】００３４
【補正方法】変更
【補正の内容】
【００３４】
図４は、３枚構成の透過型スクリーンの他の実施例を示す水平方向の断面構造図である。
この図４の実施例は前述した図３の実施例の変形例であって、ここでこの図４の実施例が図３の実施例と異なるのは、フレネルスクリーン３０を反射型とした点である。即ち、フレネルスクリーンには屈折型と反射型の２種類があるが、図３の実施例で示した屈折型のフレネルスクリーン３０の場合は観測者側の面にフレネルレンズ３２を有するのに対し、図４の実施例で示す反射型のフレネルスクリーン３０では、観測者側と反対側の面(光の入射側の面)にフレネルレンズ３２が形成される。
【手続補正５】
【補正対象書類名】明細書
【補正対象項目名】００３６
【補正方法】変更
【補正の内容】
【００３６】
図５は、図３及び図４の実施例で示した３枚構成の透過型スクリーンの装置本体への組み付け構造を示す垂直方向の断面構造図である。即ち、図３及び図４で示した透過型スクリーンのように、水平レンチスクリーン１０の基板がガラス、垂直レンチスクリーン２０の基板が樹脂、フレネルスクリーン３０の基板がガラスである場合には、図５に示す如く、水平レンチスクリーン１０とフレネルスクリーン３０は、その外形がほぼ同じ寸法で一致するように形成されて、装置本体側のフレーム４０に固定状態で保持され、垂直レンチスクリーン２０は、水平レンチスクリーン１０とフレネルスクリーン３０の外形より小さく形成されて、水平レンチスクリーン１０とフレネルスクリーン３０との間で挟まれるように保持される構造とする。
【手続補正６】
【補正対象書類名】明細書
【補正対象項目名】００３９
【補正方法】変更
【補正の内容】
【００３９】
図６及び図７は、３枚構成の透過型スクリーンのさらに他の実施例を示す水平方向の断面構造図である。この図６及び図７の実施例はそれぞれ、前述した図３及び図４の実施例の変形例であり、ここでこの図６及び図７の実施例が図３及び図４の実施例と異なるのは、水平レンチスクリーン１０の基板を樹脂基板１２とした点である。即ち、この図６及び図７の実施例において水平レンチスクリーン１０は、基板１２の材料として樹脂が用いられ、この樹脂基板１２における観測者側の面にアンチグレア、ハードコート層１３を形成すると共に、これと反対側(映像光の入射側)の面に水平レンチキュラーレンズシート１５を貼り合わせて構成されるものである。
【手続補正７】
【補正対象書類名】明細書
【補正対象項目名】００４０
【補正方法】変更
【補正の内容】
【００４０】
図８は、図６及び図７の実施例で示した３枚構成の透過型スクリーンの装置本体への組み付け構造を示す垂直方向の断面構造図である。即ち、図６及び図７で示した透過型スクリーンのように、水平レンチスクリーン１０の基板が樹脂、垂直レンチスクリーン２０の基板が樹脂、フレネルスクリーン３０の基板がガラスである場合には、図８に示す如く、フレネルスクリーン３０は、水平レンチスクリーン１０と垂直レンチスクリーン２０の外形より大きく形成されて、装置本体側のフレーム４０に固定状態で保持され、水平レンチスクリーン１０と垂直レンチスクリーン２０は、一辺(下辺)を除く各辺がフレネルスクリーン３０とは別にクリアランスを有する状態でフレーム４０に保持される構造とする。
【手続補正８】
【補正対象書類名】明細書
【補正対象項目名】００４１
【補正方法】変更
【補正の内容】
【００４１】
図６及び図７の構成の透過型スクリーンにおいて、水平レンチスクリーン１０及び垂直レンチスクリーン２０の樹脂基板は温度や湿度の環境変化を受けて伸び縮みが発生し易い。そこで図８のような透過型スクリーンの組み付け構造を採用することにより、水平レンチスクリーン１０及び垂直レンチスクリーン２０に伸び縮みが発生しても、これを無理に妨げることはないので、水平レンチスクリーン１０及び垂直レンチスクリーン２０に皺や反りが生じることはない。
【手続補正９】
【補正対象書類名】明細書
【補正対象項目名】００４３
【補正方法】変更
【補正の内容】
【００４３】
図９は、２枚構成の透過型スクリーンの実施例を示す水平方向の断面構造図である。
この２枚構成の透過型スクリーンは、前述した３枚構成の透過型スクリーンにおいて中間に設けられていた垂直レンチスクリーン２０をなくした構成であって、即ちこの透過型スクリーンでは、水平レンチスクリーン１０とフレネルスクリーン３０の２枚が配置されており、図の右側から入射した映像光は、フレネルスクリーン３０でスクリーン面に対し垂直な方向に平行光化され、さらに水平レンチスクリーン１０で水平方向に偏向されて視野角が拡大される。
【手続補正１０】
【補正対象書類名】明細書
【補正対象項目名】００４６
【補正方法】変更
【補正の内容】
【００４６】
図１１は、２枚構成の透過型スクリーンのさらに他の実施例を示す水平方向の断面構造図である。
この図１１の実施例は、水平レンチスクリーン１０の水平レンチキュラーレンズ１７に対応する垂直レンチキュラーレンズ２７をフレネルスクリーン３０に形成したものである。即ちこの構成では、反射型のフレネルスクリーン３０におけるガラス基板３１の観測者側の面に、紫外線硬化型樹脂または熱硬化型樹脂を材料とする垂直レンチキュラーレンズ２７が形状転写方式によって形成されている。
【手続補正１１】
【補正対象書類名】明細書
【補正対象項目名】００４９
【補正方法】変更
【補正の内容】
【００４９】
図１２は、図９、図１０及び図１１の実施例で示した２枚構成の透過型スクリーンの装置本体への組み付け構造を示す垂直方向の構造断面図である。即ち、図９、図１０及び図１１で示した透過型スクリーンのように、水平レンチスクリーン１０の基板とフレネルスクリーン３０の基板が何れもガラスである場合には、温度や湿度の環境変化による影響を受けにくいので、図１２に示す如く、水平レンチスクリーン１０とフレネルスクリーン３０は、その外形がほぼ同じ寸法で一致するように形成されて、装置本体側のフレーム４０に固定状態で保持される構造とする。
【手続補正１２】
【補正対象書類名】明細書
【補正対象項目名】００５１
【補正方法】変更
【補正の内容】
【００５１】
図１３、図１４及び図１５は、２枚構成の透過型スクリーンのさらに他の実施例を示す水平方向の断面構造図である。この図１３、図１４及び図１５の実施例はそれぞれ、前述した図９、図１０及び図１１の実施例の変形例であり、ここでこの図１３、図１４及び図１５の実施例が図９、図１０及び図１１の実施例と異なるのは、水平レンチスクリーン１０の基板を樹脂基板１２とした点である。
【手続補正１３】
【補正対象書類名】明細書
【補正対象項目名】００５２
【補正方法】変更
【補正の内容】
【００５２】
図１６は、図１３、図１４及び図１５の実施例で示した２枚構成の透過型スクリーンの装置本体への組み付け構造を示す垂直方向の構造断面図である。即ち、図１３、図１４及び図１５で示した透過型スクリーンのように、水平レンチスクリーン１０の基板が樹脂、フレネルスクリーン３０の基板がガラスである場合には、図１６に示す如く、フレネルスクリーン３０は、水平レンチスクリーン１０の外形より大きく形成されて、装置本体側のフレーム４０に固定状態で保持され、水平レンチスクリーン１０は、一辺(下辺)を除く各辺がフレネルスクリーン３０とは別にクリアランスを有する状態でフレーム４０に保持される構造とする。
【手続補正１４】
【補正対象書類名】明細書
【補正対象項目名】００５５
【補正方法】変更
【補正の内容】
【００５５】
図１７、図１８及び図１９はそれぞれ、図１３、図１４及び図１５の実施例のさらなる変形例を示す水平方向の構造断面図である。即ち、この図１７、図１８及び図１９の実施例は、水平レンチスクリーン１０をシート状に形成したものである。この場合、０．０５ｍｍから１．５ｍｍまでの厚みをシートと定義し、その厚みの範囲内で水平レンチスクリーン１０を形成してある。この実施例では、水平レンチキュラーレンズシート１５に拡散機能を有するフィルム１９を貼り合わせ、その上にアンチグレア、ハードコート層１３を形成するようにしている。
【手続補正１５】
【補正対象書類名】明細書
【補正対象項目名】００５７
【補正方法】変更
【補正の内容】
【００５７】
その構造例を図２０に示す。図２０は垂直方向の構造断面図である。この構成においてシート状の水平レンチスクリーン１０は、その上辺部及び下辺部に、厚みを大きくしたリブ(肉厚部)４３及び４４を有し、このリブ４３及び４４を抱持するように上部ブラケット４５及び下部ブラケット４６が取り付けられている。
【手続補正１６】
【補正対象書類名】明細書
【補正対象項目名】００６１
【補正方法】変更
【補正の内容】
【００６１】
図２１、図２２及び図２３はそれぞれ、図１７、図１８及び図１９の実施例のさらなる変形例を示す水平方向の構造断面図である。即ちこの実施例は、シート状の水平レンチスクリーン１０とフレネルスクリーン３０とを接着手段５０によって接着して一体化するようにしたものである。この場合、図２４に示す如く、フレネルスクリーン３０にシート状の水平レンチスクリーン１０を、四辺の全てにおいて接着手段５０によって接着して組み合わせるようにする。ここで接着手段５０としては例えば紫外線硬化型樹脂が用いられ、この紫外線硬化型樹脂を水平レンチスクリーン１０とフレネルスクリーン３０の何れか一方側の周辺部に全周にわたって塗布し、その後に両者を組み合わせた状態で、紫外線を照射して紫外線硬化型樹脂を硬化させることによって接着を行うようにする。
【手続補正１７】
【補正対象書類名】明細書
【補正対象項目名】００６４
【補正方法】変更
【補正の内容】
【００６４】
【図１】本発明が適用される背面投射型表示装置の外観を示す斜視図である。
【図２】同、内部構成を示す側面図である
【図３】３枚構成の透過型スクリーン実施例を示す水平方向の断面構造図である。
【図４】３枚構成の透過型スクリーンの他の実施例を示す水平方向の断面構造図である。
【図５】図３及び図４に示す透過型スクリーンの組み付け構造を示す垂直方向の断面構造図である。
【図６】３枚構成の透過型スクリーンのさらに他の実施例を示す水平方向の断面構造図である。
【図７】３枚構成の透過型スクリーンのさらに他の実施例を示す水平方向の断面構造図である。
【図８】図６及び図７に示す透過型スクリーンの組み付け構造を示す垂直方向の断面構造図である。
【図９】２枚構成の透過型スクリーン実施例を示す水平方向の断面構造図である。
【図１０】２枚構成の透過型スクリーンの他の実施例を示す水平方向の断面構造図である。
【図１１】２枚構成の透過型スクリーンのさらに他の実施例を示す水平方向の断面構造図である。
【図１２】図９、図１０及び図１１に示す透過型スクリーンの組み付け構造を示す垂直方向の断面構造図である。
【図１３】２枚構成の透過型スクリーンのさらに他の実施例を示す水平方向の断面構造図である。
【図１４】２枚構成の透過型スクリーンのさらに他の実施例を示す水平方向の断面構造図である。
【図１５】２枚構成の透過型スクリーンのさらに他の実施例を示す水平方向の断面構造図である。
【図１６】図１３、図１４及び図１５に示す透過型スクリーンの組み付け構造を示す垂直方向の断面構造図である。
【図１７】２枚構成の透過型スクリーンのさらに他の実施例を示す水平方向の断面構造図である。
【図１８】２枚構成の透過型スクリーンのさらに他の実施例を示す水平方向の断面構造図である。
【図１９】２枚構成の透過型スクリーンのさらに他の実施例を示す水平方向の断面構造図である。
【図２０】図１７、図１８及び図１９に示す透過型スクリーンの組み付け構造を示す垂直方向の断面構造図である。
【図２１】２枚構成の透過型スクリーンのさらに他の実施例を示す水平方向の断面構造図である。
【図２２】２枚構成の透過型スクリーンのさらに他の実施例を示す水平方向の断面構造図である。
【図２３】２枚構成の透過型スクリーンのさらに他の実施例を示す水平方向の断面構造図である。
【図２４】図２１、図２２及び図２３に示す透過型スクリーンの組み合わせ構造を示す断面構造図である。